(57)【要約】【課題】増毛の作業効率を向上せしめ、かつ少ない毛量でボリューム感を出すとともに自然な感じのする増毛ヘアを供すること。【解決手段】ベースヘア３は単一本からなるループ部３１と、該ループ部に連続し自毛９に巻き付けられる結び目３３と、該結び目に連続する単一本からなる一対のベースヘア自由端部３５、３７とからなり、該ベースヘア自由端部は結び目３３より共に同一の方向に設けられる。サブヘア５はループ部に結び付けられた単一本からなる副結び目５１、７１と、該副結び目に連続する単一本からなる一対のサブヘア自由端部５３、５５、７３、７５とからなり、該サブヘア自由端部は互いに反対方向に拡開されるとともに、ベースヘア自由端部に対し直交する方向に設けられる。ループ部３１が自毛に巻き付けられたとき、結び目と副結び目とが同等に形成される。【選択図】図１
2015172262.tif 000002
【特許請求の範囲】
【請求項１】
ベースヘアとサブヘアとからなる増毛ヘアであって、
ベースヘアは単一本からなるループ部と、該ループ部が自毛に巻き付けられて形成される結び目と、該結び目に連続する単一本からなる一対のベースヘア自由端部とからなり、該一対のベースヘア自由端部はいずれも上記結び目より同一の方向に延び、
サブヘアは上記ループ部に結び付けられた単一本からなる副結び目と、該副結び目に連続する単一本からなる一対のサブヘア自由端部とからなり、該サブヘア自由端部は互いに反対方向に拡開されるとともに、上記ベースヘア自由端部に対し略直交する方向に設けられることを特徴とする増毛ヘア。
【請求項２】
請求項１記載の増毛ヘアにおいて、上記ループ部が自毛に巻き付けられたとき、上記結び目と上記副結び目が同等に形成されることを特徴とする増毛ヘア。
【請求項３】
請求項１記載の増毛ヘアにおいて、上記サブヘアが複数本からなることを特徴とする増毛ヘア。
【請求項４】
請求項１記載の増毛ヘアにおいて、上記サブヘアが上記ループ部に片結びにより結び付けられることを特徴とする増毛ヘア。
【請求項５】
請求項１記載の増毛ヘアにおいて、上記増毛ヘアが人工毛からなることを特徴とする増毛ヘア。
【請求項６】
請求項１記載の増毛ヘアにおいて、上記増毛ヘアが自然毛からなることを特徴とする増毛ヘア。
【発明の詳細な説明】
【技術分野】
【０００１】
本願発明は増毛、とくに増毛ヘアに関する。
【背景技術】
【０００２】
自毛の少ない人に対する増毛は、残された自毛に増毛ヘアを巻き付けることにより行なっている。
【０００３】
具体的には、図４に示すように、例えば人工毛からなる１本の増毛ヘア１０１を半折りし、半折り端部１０２の中に自由端部１０３を挿通することによりループ部１０４を形成し、このループ部１０４に自毛１０５を通し、自由端部１０３を引張ることにより自毛１０５に結び付けていた。図中、１１３は頭部である。
【０００４】
従来の増毛は、図４に示すように、自毛１０５に対して一方向（図示１４時方向）にしか増やすことができず、このため、増毛部分が不自然となり、かえって目立つという欠点があった。
【０００５】
また、自毛１０５に対して一方向にしか増やすことができないため、増毛してもヘアのボリュームアップにならないという欠点があった。
【０００６】
ヘアのボリュームアップをするため増毛本数を増加させると、自毛への負担が大となる欠点があった。
【０００７】
従来の増毛の場合、同一方向に複数本の増毛ヘアが重なって太くなるため、ブラッシングの際に結び目だけでなく増毛ヘアそのものがブラシの毛や櫛の歯に絡みやすく、自毛へのダメージが大きくなるという欠点があった。
【０００８】
さらに従来の増毛における自毛への巻着は、図４に示すように必ず２本巻きとなり、巻着部が大きくなり目立つという欠点があった。
【０００９】
増毛は手間のかかる作業のため効率化を図るため、１回の作業で多数本の増毛ヘアを植え付ける多数本増毛とすることがある。かかる増毛では根元に形成される塊状の巻着部が大となり目立ってしまっていた。
【００１０】
巻着部が大きいと、不自然な感じとなり、ブラッシングをするときブラシが巻着部に引掛かり、増毛部分や自毛を損傷するという欠点がある。
【先行技術文献】
【特許文献】
【００１１】
【特許文献１】特開平５−１５６５０６号公報
【発明の概要】
【発明が解決しようとする課題】
【００１２】
本願発明は上記背景に鑑み、増毛の作業効率を向上せしめ、かつ少ない毛量でボリューム感を出すとともに自然な感じのする増毛ヘアを供することを目的とする。
【課題を解決するための手段】
【００１３】
上記目的達成のため、本願発明による増毛ヘアは、
ベースヘアとサブヘアとからなる増毛ヘアであって、
ベースヘアは単一本からなるループ部と、該ループ部が自毛に巻き付けられて形成される結び目と、該結び目に連続する単一本からなる一対のベースヘア自由端部とからなり、該一対のベースヘア自由端部はいずれも上記結び目より同一の方向に延び、
サブヘアは上記ループ部に結び付けられた単一本からなる副結び目と、該副結び目に連続する単一本からなる一対のサブヘア自由端部とからなり、該サブヘア自由端部は互いに反対方向に拡開されるとともに、上記ベースヘア自由端部に対し略直交する方向に設けられることを特徴とする。
また、請求項１記載の増毛ヘアにおいて、上記ループ部が自毛に巻き付けられたとき、上記結び目と上記副結び目が同等に形成されることを特徴とする。
また、請求項１記載の増毛ヘアにおいて、上記サブヘアが複数本からなることを特徴とする。
また、請求項１記載の増毛ヘアにおいて、上記サブヘアが上記ループ部に片結びにより結び付けられることを特徴とする。
また、請求項１記載の増毛ヘアにおいて、上記増毛ヘアが人工毛からなることを特徴とする。
また、請求項１記載の増毛ヘアにおいて、上記増毛ヘアが自然毛からなることを特徴とする。
【発明の効果】
【００１４】
本願発明によれば、サブヘアがベースヘアのループ部に結び付けられ、ベースヘア自由端部とサブヘア自由端部が直交方向に設けられるから、自毛の根元から多方向に向けて面状に増毛される。
【００１５】
つまり、図１に示すように、ベースヘアが自毛に対し直交方向に巻着された場合において、一のサブヘア自由端部が頭部の形状に沿っていると、他方のサブヘア自由端部は必ず自毛と同様起立状態となる。図１に示す６本増毛の場合、他のサブヘア自由端部についても上記と同様であり、一のサブヘア自由端部が自毛と同様起立状態となる。
【００１６】
かかる増毛を増毛適用部位の自毛について行なうことにより、ベースヘアとサブヘアとからなる増毛ヘアが増毛適用部位について重畳的に重なるため、当該増毛箇所のヘアのボリューム感を向上することができる。
【００１７】
よって、頭部の形状に沿ったサブヘア自由端部により、地肌が隠されることになるとともに、自毛と同様起立状態となった他のサブヘア自由端部によってボリュームアップとなり、増毛のボリューム感が向上するのである。
【００１８】
また増毛ヘアはベースヘア、サブヘアいずれも１本１本がバラバラに拡散した状態となっているため、ブラシの毛や櫛の歯に絡むことが防止される。
【００１９】
サブヘアの本数を例えば４本増毛法、６本増毛法の如く適宜に増加させた増毛ヘアとして構成することにより、上記したボリューム感の向上と相まって、可及的に少ない増毛本数とすることができ、これにより増毛作業の効率化を図ることができる。
【図面の簡単な説明】
【００２０】
【図１】（Ａ）は本願発明による増毛ヘアの実施の形態を示す斜視図であり、自毛への装着後をあらわす。（Ｂ）は比較例を示す図である。
【図２】本願発明による増毛ヘアの実施の形態を示す斜視図であり、自毛への装着前をあらわす。
【図３】本願発明による増毛ヘアの他実施の形態を示す斜視図である。
【図４】従来の増毛ヘアの例を示す図である。
【発明を実施するための形態】
【００２１】
次に、実施の形態を示す図面に基づき本願発明による増毛ヘアをさらに詳しく説明する。なお、便宜上同一の機能を奏する部分には同一の符号を付してその説明を省略する。
【００２２】
本願発明による増毛ヘア１は、ベースヘア３と、第１サブヘア５及び第２サブヘア７とからなる。
【００２３】
ベースヘア３は、ポリエステル繊維からなる単一本の人工毛からなり、該人工毛を半折りし、半折り端部３０に形成される単一本からなるループ部３１と、該ループ部３１が自毛９に巻き付けられて形成される結び目３３と、該結び目３３に連続する単一本からなる一対のベースヘア自由端部３５、３７とからなる。該一対のベースヘア自由端部３５、３７は上記結び目３３よりいずれも同一の方向（図２では下方）に延びる。
【００２４】
第一サブヘア５はポリエステル繊維からなる単一本の人工毛からなり、該人工毛を半折りし、半折り端部を上記ループ部３１に結び付けられた単一本からなる副結び目５１と、該副結び目５１に連続する単一本からなる一対のサブヘア自由端部５３、５５とからなる。該サブヘア自由端部５３、５５は互いに反対方向に拡開されるとともに、上記ベースヘア３に対し略直交する方向（図２では水平方向）に延びる。
【００２５】
第二サブヘア７はポリエステル繊維からなる単一本の人工毛からなり、該人工毛を半折りし、半折り端部を上記ループ部３１に結び付けられた単一本からなる副結び目７１と、該副結び目７１に連続する単一本からなる一対のサブヘア自由端部７３、７５とからなる。該サブヘア自由端部７３、７５は互いに反対方向に拡開されるとともに、上記ベースヘア３に対し略直交する方向（図２では水平方向）に延びる。上記ベースヘア３、上記第一サブヘア５及び上記第二サブヘア７の直径は、人毛の平均直径と同程度（本実施例では８０μｍ）に形成される。
【００２６】
図２において１１はパイプであり、該パイプ１１に上記構成の増毛ヘア１が適宜の本数、例えば１０本取り付けた状態で出荷される。
【００２７】
図２のような増毛は、２本のベースヘア自由端部３５、３７と、４本のサブヘア自由端部５３、５５、７３、７５とカウントされ、６本増毛と呼ばれる。
【００２８】
図３は他の実施の形態であり、２本のベースヘア自由端部３５、３７と、２本のサブヘア自由端部５３、５５とカウントされ、４本増毛と呼ばれる。
【００２９】
本願発明による増毛ヘア１は自毛９に巻き付けられることにより使用される。増毛ヘア１の巻着は、図示しない専用の器具によりループ部３１を自毛９に通し、ベースヘア自由端部の一方を引張ることにより、該ループ部３１を自毛９の根元にしっかりと巻き着ける。
【００３０】
図１（Ａ）に示すように、ループ部３１が自毛９の根元にしっかりと巻き着けられると、ベースヘア自由端部３５、３７は、自毛９に対し略直交する方向、図示例では装着者の頭部１３よりやや上方の直交方向に延びる。一方、第一サブヘア５は、サブヘア自由端部５３、５５が上記ベースヘア３のベースヘア自由端部３５、３７に略直交する方向に設けられるから、増毛ヘア１が自毛９に装着されると、一のサブヘア自由端部５３は頭部１３の形状に沿って延びるが、他方のサブヘア自由端部５５は一のサブヘア自由端部５３の反対方向に延びているため、自毛９と同様に起立状態となる。また、第二サブヘア７も同様に、サブヘア自由端部７３、７７が上記ベースヘア３のベースヘア自由端部３５、３７に略直交する方向に設けられるから、増毛ヘア１が自毛９に装着されると、一のサブヘア自由端部７３は頭部１３の形状に沿って延びるが、他方のサブヘア自由端部７５は一のサブヘア自由端部７３の反対方向に延びているため、自毛９と同様に起立状態となる。
【００３１】
このような増毛ヘア１が増毛適用部位にある適宜数の（通常は多数となる）自毛９について必要な本数植え付けられる。するとサブヘア５、７のサブヘア自由端部５３、７３のように頭部１３の形状に沿って這うような状態で置かれる増毛ヘアは、多方向に向けて面状に重畳的に重なるため、自毛のない地肌が隠されることになる。
【００３２】
一方、サブヘア５、７の反対側のサブヘア自由端部５５、７５は、自毛９と同様起立状態となっているから、ヘアの本数が増加したようにみえ、ボリュームアップとなる。この状態で自毛と同様に整髪することができるので、ヘアのボリューム感を向上することができる。
【００３３】
このようにヘアのボリュームアップとなるから、増毛本数も可及的に少なくすることができ、これにより自毛９への負担が減少し、また増毛作業の効率化を図ることができる。
【００３４】
サブヘア５、７のサブヘア自由端部５３、７３、５５、７５は、ベースヘア３のベースヘア自由端部３５、３７に対し略直交方向に設けられ、図１に示すように、いずれのヘアも１本１本がバラバラに拡散した状態となっている。このため、ブラシの毛や櫛の歯が各ヘアの自由端部に絡まるのを防止することができる。
【００３５】
次に増毛ヘア１が巻き付けられる自毛９の根元についてみる。自毛９に巻き付けられるループ部３１は単一本からなり、図１（Ａ）に示すように、ループ部３１に副結び目５１、７１が結び目３３と一体となり１個の塊となって結び付けられる。この塊は副結び目５１、７１が結び目３３と同等に形成されるため、また自毛９の根元に巻き付けられるループ部３１と副結び目５１、７１とが分離状態で隣接するため、結び目が大きくならず、巻着部が目立たない。よって大なる結び目の形成による弊害、例えばブラッシング時の引掛りを防止し、生え際露出のデメリットがない。また自然な感じのする増毛とすることができる。
【００３６】
この結び目の大きさについては、６本の増毛ヘアとした比較例と比較してみると一目瞭然である。図１（Ｂ）は比較例を示し、３本の増毛ヘア２１を半折りして半折り端部２０をまとめてループ状に形成し、このループ部２２を自毛９に巻き付けた場合である。増毛ヘア２１の素材はポリエステル繊維からなる人工毛であり本願発明と同一である。かかる場合、自毛９に巻き付けられるループ部２２は過大な大きさとなり、目立ってみえる。
【００３７】
人工毛は濡れて相互に付着すると、薄っぺらな感じとなり自然な感じが出ないが、本実施の形態では、増毛ヘア１が共に人工毛で構成され、かつベースヘア３とサブヘア５が略直交方向に拡開、離反されているため、濡れたときの付着リスクが少ない。
【００３８】
ベースヘア３やサブヘア５は、その色彩や素材を変え、例えば白髪等を混入させたり、水分や湿気に強い素材を混入させることもできる。かかる場合は、例えば白髪混じりの頭髪を容易に形成できるから、年令や嗜好に合った増毛をより短時間の内に供給できる効果がある。
【００３９】
この場合、工場生産の段階において所望の割合の白髪混じりになるようベースヘア３とサブヘア５とのバランスを設定しておいた増毛ヘアのセットを用意しておき、着用者の求めに応じることとすれば、現場では機械的に装着していけばよく、相方の割合やバランスを調整する必要がないので、作業効率が一層向上する。
【００４０】
本願発明による増毛ヘアは上記した実施の形態に限定されない。例えば、増毛ヘア１の素材には自然毛やアクリル繊維など適宜素材を使用することができる。
【００４１】
また増毛ヘア１を巻着するパイプ１１は必要的ではなく、なくてもよい。
【産業上の利用可能性】
【００４２】
本願発明による増毛ヘアは人の増毛に活用することができる。本願発明による増毛ヘアを適用される人種は問わない。
【符号の説明】
【００４３】
１      増毛ヘア
３      ベースヘア
３０    半折り端部
３１    ループ部
３３    結び目
３５    ベースヘア自由端部
３７    ベースヘア自由端部
５      第一サブヘア
５１    副結び目
５３    サブヘア自由端部
５５    サブヘア自由端部
７      第二サブヘア
７１    副結び目
７３    サブヘア自由端部
７５    サブヘア自由端部
９      自毛
１１    パイプ
１３    頭部
２０    半折り端部
２１    増毛ヘア
２２    ループ部
【図１】
2015172262.tif 000003
【図２】
2015172262.tif 000004
【図３】
2015172262.tif 000005
【図４】
2015172262.tif 000006